(57)【要約】【課題】穿刺具およびバイオセンサチップを同時に駆動して穿刺および試料採取を行った際に、簡単な構造でバイオセンサチップと測定装置との電気的導通を図ることができる針一体型測定装置を提供する。【解決手段】針一体型測定装置１０は、穿刺針１３とバイオセンサチップ２０を一体に備えたバイオセンサカートリッジ１１が着脱可能に装着されるコネクタ３２と、コネクタ３２を測定装置本体４０に対して穿刺駆動する駆動機構３１と、コネクタ３２に設けられ、カートリッジを装着した時にバイオセンサカートリッジ１１のバイオセンサチップ２０と電気的に導通する移動電極３９と、測定装置本体４０に設けられ、少なくとも穿刺針１３の穿刺後に移動電極３９に接触してバイオセンサチップ２０と測定装置３０とを電気的に導通させる固定電極４１と、を備える。【選択図】図１
2009050464.tif 000002
【特許請求の範囲】
【請求項１】
穿刺具とバイオセンサチップを一体に備えたバイオセンサカートリッジが着脱可能に装着されるコネクタと、
前記コネクタを測定装置本体に対して穿刺駆動する駆動機構と、
前記コネクタに設けられ、カートリッジを装着した時に前記バイオセンサカートリッジのバイオセンサチップと電気的に導通する移動電極と、
前記測定装置本体に設けられ、少なくとも前記穿刺具の穿刺後に前記移動電極に接触して前記バイオセンサチップと測定装置とを電気的に導通させる固定電極と、
を備えたことを特徴とする針一体型測定装置。
【請求項２】
前記固定電極が、前記移動電極の移動軌跡に沿って延設されることを特徴とする請求項１に記載の針一体型測定装置。
【請求項３】
前記固定電極が、少なくとも前記穿刺具の穿刺後に前記移動電極と接触する位置に配設されることを特徴とする請求項１に記載の針一体型測定装置。
【請求項４】
前記固定電極が、前記穿刺具の穿刺前後に前記移動電極と接触する位置に配設されることを特徴とする請求項３に記載の針一体型測定装置。
【請求項５】
少なくとも何れかの前記移動電極及び前記固定電極が、接触方向に弾性変位可能な弾性接触端子からなることを特徴とする請求項１乃至４の何れか１項に記載の針一体型測定装置。
【発明の詳細な説明】
【技術分野】
【０００１】
本発明は、針一体型測定装置に関し、例えばバイオセンサチップに収容した試薬を用いて化学物質の測定や分析を行う針一体型測定装置に関するものである。
【背景技術】
【０００２】
従来より、バイオセンサチップとランセットを一体化したバイオセンサが開示されている（例えば特許文献１参照）。
図５（Ａ）は特許文献１に記載されているバイオセンサの斜視図、図５（Ｂ）はバイオセンサの分解斜視図である。
【０００３】
図５に示すように、ランセット一体型のバイオセンサ１００は、チップ本体１０１、ランセット１０３及び保護カバー１０５を有してなる。チップ本体１０１は、カバー１０１ａと基板１０１ｂとを開閉可能に有しており、カバー１０１ａの内面には内部空間１０２が形成されている。内部空間１０２は、ランセット１０３を移動可能に収納できる形状をしている。
【０００４】
ランセット１０３の先端に設けられている針１０４は、ランセット１０３の移動に伴って、チップ本体１０１の内部空間１０２の前端部に形成されている開口部１０２ａから出没可能となっている。
内部空間１０１ａの形状は、突起１０３ａが位置する端部において、その幅がランセット１０３より若干狭くなるよう湾曲しており、互いの押圧力や摩擦力によってランセット１０３がチップ本体１０１に係止されるようになっている。
【０００５】
保護カバー１０５は針１０４を挿嵌する管部１０５ａを有しており、針１０４の移動に伴って管部１０５ａもチップ本体１０１の内部に収納可能となっている。
従って、使用前の状態では、保護カバー１０５を針１０４に被せて、針１０４を保護するとともに誤って使用者を傷付けないようにしている。なお、基板１０１ｂには、一対の電極端子１０６が設けられており、測定装置（図示省略）に電気的に接続できるようになっている。
【０００６】
使用時には、保護カバー１０５を外して、ランセット１０３を押して針１０４をチップ本体１０１から突出させる。この状態で被検体を穿刺した後、針１０４をチップ本体１０１内部に収納し、チップ本体１０１の前端に設けられている開口部１０２ａを被検体の穿刺口に近づけて、流出した血液を採取する。
【０００７】
ところで、前述した特許文献１に記載のランセット一体型のバイオセンサ１００においては、チップ本体１０１の内部空間１０２をランセット１０３が移動する構造となっており、構造が複雑になっている。このため、製造が面倒であるとともにバイオセンサ１００の大型化を招いて製造コストが高くなるという不都合があった。
【０００８】
そこで、チップ本体の先端に穿刺針が突出するように、穿刺針をチップ本体に一体的に設けることにより、構造が簡単で小型化されたバイオセンサチップが考案されるようになってきた（例えば特許文献２参照）。
【特許文献１】ＷＯ０２−０５６７６９号公報
【特許文献２】特開２００７−１５５６２２号公報
【発明の開示】
【発明が解決しようとする課題】
【０００９】
しかしながら、前述した特許文献２に記載の針一体型バイオセンサチップを先端に取り付けて使用する測定装置においては、穿刺時および試料採取時にバイオセンサチップが測定装置に対して前方へ移動することになるので、バイオセンサチップが前方へ移動して試料を採取した後に、バイオセンサチップと測定装置との間の電気的導通を確保する必要がある。
【００１０】
本発明は、前述した問題点に鑑みてなされたものであり、穿刺具およびバイオセンサチップを同時に駆動して穿刺および試料採取を行った際に、簡単な構造でバイオセンサチップと測定装置との電気的導通を図ることができる針一体型測定装置を提供することにある。
【課題を解決するための手段】
【００１１】
本発明に係る上記目的は、穿刺具とバイオセンサチップを一体に備えたバイオセンサカートリッジが着脱可能に装着されるコネクタと、
前記コネクタを測定装置本体に対して穿刺駆動する駆動機構と、
前記コネクタに設けられ、カートリッジを装着した時に前記バイオセンサカートリッジのバイオセンサチップと電気的に導通する移動電極と、
前記測定装置本体に設けられ、少なくとも前記穿刺具の穿刺後に前記移動電極に接触して前記バイオセンサチップと測定装置とを電気的に導通させる固定電極と、
を備えたことを特徴とする針一体型測定装置により達成される。
【００１２】
上記構成の針一体型測定装置によれば、バイオセンサカートリッジがコネクタに装着されると、バイオセンサチップがコネクタの移動電極に導通する。移動電極は固定電極に接触して電気的に導通可能となっているので、バイオセンサチップは測定装置と電気的に接続されることになる。
従って、コネクタを介してバイオセンサカートリッジを駆動し、穿刺および試料の採取を行いながら、採取した試料の情報をバイオセンサチップから測定装置に伝達できる。
【００１３】
なお、上記構成の針一体型測定装置において、前記固定電極が、前記移動電極の移動軌跡に沿って延設されることが望ましい。
このような構成の針一体型測定装置によれば、固定電極が、移動電極の移動軌跡、すなわち、移動範囲に沿って形成され、任意の移動位置において移動電極が固定電極に接触状態を維持する。そこで、移動電極と固定電極とが断続的に接触せず、常に安定した接触となって、電気的な接続信頼性が高まる。
【００１４】
また、上記構成の針一体型測定装置において、前記固定電極が、少なくとも前記穿刺具の穿刺後に前記移動電極と接触する位置に配設されることが望ましい。
このような構成の針一体型測定装置によれば、移動電極と固定電極とが必要な穿刺後のみに接触し、移動電極と固定電極の摺動による摩耗を軽減することができる。また、固定電極の形成面積を小さくして、製造コストを低減できる。
【００１５】
また、上記構成の針一体型測定装置において、前記固定電極が、前記穿刺具の穿刺前後に前記移動電極と接触する位置に配設されることが望ましい。
このような構成の針一体型測定装置によれば、移動電極と固定電極とが必要な穿刺前後のみに接触し、移動電極と固定電極の摺動による摩耗を軽減することができる。また、移動電極が穿刺具の穿刺前にも固定電極と接触することで、コネクタに装着されたバイオセンサカートリッジの検出が可能となり、バイオセンサチップの動作確認や装着状態の確認が可能となる。
【００１６】
また、上記構成の針一体型測定装置において、少なくとも何れかの前記移動電極及び前記固定電極が、接触方向に弾性変位可能な弾性接触端子からなることが望ましい。
このような構成の針一体型測定装置によれば、移動電極と固定電極とが安定した接触となって、電気的な接続信頼性が高まる。
【発明の効果】
【００１７】
本発明に係る針一体型測定装置によれば、コネクタに設けられバイオセンサチップに導通する移動電極と、測定装置本体に設けられ少なくとも穿刺具の穿刺後に移動電極に接触してバイオセンサチップと測定装置とを電気的に導通させる固定電極とを備えたので、穿刺具およびバイオセンサチップを同時に駆動して穿刺および試料採取を行った際に、簡単な構造でバイオセンサチップと測定装置との電気的導通を図ることができる。
【発明を実施するための最良の形態】
【００１８】
以下、添付図面に基づいて本発明に係る針一体型測定装置の好適な実施形態を詳細に説明する。
なお、今回開示される実施の形態はすべての点で例示であって、制限的なものではないと考えられるべきである。本発明の範囲は、下記する意味ではなく、特許請求の範囲によって示され、特許請求の範囲と均等の意味および範囲内でのすべての変更が含まれることが意図される。
【００１９】
図１は本発明の第１実施形態に係る針一体型測定装置の構成図である。
本実施の形態に係る針一体型測定装置１０は、図１に示すように、被検体Ｍを穿刺する穿刺具としての穿刺針１３とバイオセンサチップ２０を一体に備えたバイオセンサカートリッジ１１が着脱可能に装着されるコネクタ３２と、コネクタ３２を測定装置本体４０に対して穿刺駆動する駆動機構３１と、コネクタ３２に設けられ、カートリッジを装着した時にバイオセンサカートリッジ１１のバイオセンサチップ２０と電気的に導通する一対の移動電極３９，３９と、移動電極３９の移動軌跡（図１中上下方向）に沿って測定装置本体４０に延設され、移動電極３９，３９にそれぞれ接触してバイオセンサチップ２０と測定装置１０とを電気的に導通させる固定電極４１，４１と、を備える。
【００２０】
本実施形態において、穿刺具としては、中空の注射針や、ランセット(lancet；槍状刀)針や、カニューレ(cannula；套管)等が挙げられる。これらの針は、樹脂に固着されていても良いし、樹脂で一体化（針自体も樹脂で成形）されていても良い。本実施形態では、穿刺具の一例として樹脂にランセット針が固着されたものが例示されている。
【００２１】
図２（ａ）および（ｂ）には、穿刺針１３が一体的に設けられているバイオセンサチップ２０の一例が示されている。
このバイオセンサチップ２０は、チップ本体２１が、互いに対向する２枚の基板２２ａ，２２ｂと、この２枚の基板２２ａ，２２ｂ間に挟装されるスペーサ層２３とを有しており、穿刺針１３が２枚の基板２２ａ，２２ｂ間に固定されている。
【００２２】
２枚の基板２２ａ，２２ｂの少なくとも１枚の基板２２ａにおけるスペーサ層２３側の表面には、検知用電極２４ａ，２４ｂが設けられており、先端部（図２（ａ）において下端部）は互いに対向する方向へＬ字状に曲げられて、所定間隔を保持している。
チップ本体２１の後端部２１ｂにおいては、基板２２ａが基板２２ｂおよびスペーサ層２３よりも延設されており、検知用電極２４ａ，２４ｂは基板２２ａ上に露出している。
【００２３】
チップ本体２１の先端部２１ａから、２つの検知用電極２４ａ，２４ｂが対向している部分にかけて、２枚の基板２２ａ，２２ｂ及びスペーサ層２３により中空反応部２５が形成されている。
この中空反応部２５の先端には、検体に穿刺針１３を穿刺して採取した試料としての血液を中空反応部２５に導入する試料採取口２５ａが開口して設けられている。この試料採取口２５ａは穿刺針１３に近接して設けられており、少量の試料でも確実に採取することができ、使用者の負担を軽減することができるようになっている。
【００２４】
中空反応部２５においては、検知用電極２４ａ，２４ｂは露出しており、中空反応部２５における検知用電極２４ａ，２４ｂの直上或いは近傍に、例えば酵素とメディエータを固定化し血液中のグルコースと反応して電流を発生する試薬２６が設けられている。
従って、中空反応部２５は、試料採取口２５ａから採取された例えば血液等の血液が、試薬２６と生化学反応する部分となる。
【００２５】
基板２２ａおよび２２ｂ、スペーサ層２３の材質としては、絶縁性材料のフィルムが選ばれ、絶縁性材料としては、セラミックス、ガラス、紙、生分解性材料（例えば、ポリ乳酸微生物生産ポリエステル等）、ポリ塩化ビニル、ポリプロピレン、ポリスチレン、ポリカーボネート、アクリル樹脂、ポリブチレンテレフタレート、ポリエチレンテレフタレート（ＰＥＴ）等の熱可塑性樹脂、エポキシ樹脂等の熱硬化樹脂、ＵＶ硬化樹脂等のプラスチック材料を例示することができる。機械的強度、柔軟性、及びチップの作製や加工の容易さ等から、ポリエチレンテレフタレート等のプラスチック材料が好ましい。代表的なＰＥＴ樹脂としては、メリネックスやテトロン（以上、商品名、帝人デュポンフィルム株式会社製）、ルミラー（商品名、東レ株式会社製）等が挙げられる。
【００２６】
試薬２６の例としては、グルコースオキシダーゼ（ＧＯＤ）やグリコースデヒドロゲナーゼ（ＧＤＨ）、コレステロールオキシダーゼ、ウリガーゼ等の酵素と、フェリシアン化カリウム、フェロセン、ベンゾキノン等の電子受容体が挙げられる。また、検体の採血負担を考慮すると、中空反応部２５の容積は１μＬ（マイクロリットル）以下が好ましく、特に３００ｎＬ（ナノリットル）以下であることが好ましい。このような微小な中空反応部２５であると、チップ本体２１の直径は小さくても検体の充分な血液量が採取可能となる。また、穿刺針１３は、直径が１０００μｍ以下であることが好ましい。
【００２７】
更に、バイオセンサカートリッジ１１の先端部には、穿刺針１３を挿通させるとともに、圧縮時に穿刺針１３を先端面に突出させる略円柱状の弾性体１５が設けられている。弾性体１５の先端面には凹部１９が形成され、凹部１９は中央底部に半球状の膨出部１８が形成されている。膨出部１８の中心には弾性体１５を貫通する貫通穴１６が穿設され、貫通穴１６はチップ本体２１の穿刺針１３を挿通させるため、穿刺針１３の外径より大きく形成されている。弾性体１５の軸線方向の寸法は、穿刺針１３の先端までを確実に覆うことができる長さとなっている。即ち、穿刺針１３は、膨出部１８の内部に配置されている。
【００２８】
弾性体１５は、先端面の周壁部１７が、軸線方向の圧縮力によって潰れるように変形する。また、同様の圧縮力が作用した際に、膨出部１８も凹部１９の底面近傍まで潰れるように変形する。即ち、この圧縮力が作用することにより、穿刺針１３が弾性体１５の先端面から相対的に突出されることとなる。この圧縮力は、駆動機構３１の圧縮コイルバネ３７によって付与される。
【００２９】
尚、弾性体１５の材質としては、弾性を有するものであれば特に限定されないが、シリコーン、ウレタン、アクリル、エチレン、スチレン、ブタジエン、アクリロニトリル、プロピレン、クロロプレン等のポリマー単体若しくは共重合したポリマーからなるゴム若しくはスポンジ、ポリエチレン、及びポリプロピレン等のポリオレフィン、ポリエチレンテレフタレート及びポリブチレンテレフタレート等のポリエステル、ポリテトラフルオロエチレン及びパーフルオロアルコキシエチレンとポリフルオロエチレンの共重合体であるＰＦＡ等のフッ素樹脂などを利用できる。
【００３０】
図１に示すように、測定装置３０には、コネクタ３２を測定装置本体４０に対して穿刺駆動する駆動機構３１を起動させるためのスイッチ３３が設けられている。また、測定装置３０の内部には、電源３４、制御装置３５、表示部３６が設けられており、これらが互いに電気的に接続されている。
【００３１】
コネクタ３２の先端部には、チップ本体２１の後端部２１ｂを挿入して固定するとともに、検知用電極２４ａ，２４ｂと導通する端子挿入部３２ａが設けられており、バイオセンサチップ２０を取り付けた状態で、穿刺方向である前方（図１において下方）に駆動される。
駆動機構３１としては、図示例の圧縮コイルバネ３７、或いはソレノイドやモータ等のアクチュエータが挙げられる。
【００３２】
測定装置本体４０に対して穿刺方向に移動自在に配設されたコネクタ３２は、移動電極３９，３９及び固定電極４１，４１を介して測定装置３０の制御装置３５等に電気的に接続されており、バイオセンサチップ２０の検知用電極２４ａ，２４ｂが検知した試料と試薬２６との反応が、制御装置３５に伝達されるようになっている。
【００３３】
移動電極３９，３９は、電線或いはプリント配線４３によって端子挿入部３２ａに電気的に接続され、銅等の導電性金属材からなる例えば半球状の突起として形成される。この他、移動電極３９としては、導電性を有するブラシ、板バネ、ローラ等の手段を使用できる。
【００３４】
固定電極４１は、電線或いはプリント配線４５によって測定装置３０に電気的に接続され、駆動機構３１を収容する空間の内壁面に、移動電極３９の移動方向に沿って延設されている。固定電極４１は、銅等の導電性金属材からなる箔や薄板、レール等として形成される。本実施形態では、固定電極４１が、移動電極３９の移動軌跡に沿って形成されている。つまり、移動電極３９と固定電極４１とは、常に導通状態を維持できるようになっている。
【００３５】
次に、上記のように構成された針一体型測定装置１０の作用を説明する。
図３（ａ）は第１実施形態に係る針一体型測定装置の穿刺中の状態を示す要部概略断面図、図３（ｂ）は第１実施形態に係る針一体型測定装置の穿刺後の状態を示す要部概略断面図である。
【００３６】
この針一体型測定装置１０は、小型であり、例えば、使用者が片手で持つことが可能なハンディタイプとなり、使用者が自分で操作できるようになっている。
先ず、針一体型測定装置１０におけるコネクタ３２の端子挿入部３２ａに、バイオセンサチップ２０を挿入して取り付ける。バイオセンサチップ２０がコネクタ３２の端子挿入部３２ａに取り付けられると、バイオセンサチップ２０がコネクタ３２の移動電極３９に導通する。
【００３７】
そして、図示しないコッキングレバー等により、駆動機構３１の圧縮コイルバネ３７が圧縮され、付勢力蓄積状態に保持される。この状態では、バイオセンサチップ２０が取り付けられたコネクタ３２は、図１に示す位置に移動される。この際、移動電極３９が固定電極４１と接触することで、測定装置３０はコネクタ３２に装着されたバイオセンサカートリッジ１１の検出が可能となる。即ち、本実施形態に係る針一体型測定装置１０は、バイオセンサチップ１１の動作確認や装着状態の確認が可能となる。
【００３８】
そして、図１に示したように、針一体型測定装置１０の計測開口４７を塞ぐように、被検体Ｍである例えば指先を押し当てる。
この状態でスイッチ３３が押下されると、駆動機構３１が測定装置本体４０に対してコネクタ３２を穿刺駆動するので、バイオセンサカートリッジ１１の先端が計測開口４７より突出される。バイオセンサカートリッジ１１は、所定の押圧力で被検体Ｍに押し付けられると、図３（ａ）に示すように、弾性体１５の周壁部１７及び膨出部１８が潰れ、穿刺針１３が突出される。
【００３９】
これにより、突出した穿刺針１３の先端が被検体Ｍに穿刺される。押し付け力により変形した弾性体１５は、図３（ｂ）に示すように、復元力によって元の形状に戻る。これと同時に、圧縮コイルバネ３７も自然長状態に戻り、バイオセンサカートリッジ１１は若干後退され、穿刺針１３が被検体Ｍから抜かれた最終移動測定位置に達して停止する。
【００４０】
被検体Ｍから穿刺針１３が抜かれると、その穿刺穴から流出する血液Ｂが、バイオセンサチップ２０の先端に開口する試料採取口２５ａへ導かれ、試料採取口２５ａから中空反応部２５への流入する。
この際、スイッチ３３の押下と同時に、不図示の真空吸引手段から負圧を測定装置本体４０内に付与し、穿刺穴から流出した血液Ｂに対して計測開口４７を介して負圧を作用させ、効率よくバイオセンサチップ２０の中空反応部２５に血液Ｂを吸引するようにしてもよい。
【００４１】
そして、中空反応部２５に流入した血液Ｂが試薬２６と反応すると、電流が発生し、この電流が基板２２ａの検知用電極２４ａ，２４ｂに流れ、移動電極３９，３９及び固定電極４１，４１を介してプリント配線４５から測定装置３０に入力される。これにより、血液中の成分が計測され、その計測結果が制御装置３５によって表示部３６へ表示される。
【００４２】
このように、バイオセンサチップ２０が取り付けられたコネクタ３２の移動電極３９は、固定電極４１に接触して導通状態を維持しながら移動自在となるので、バイオセンサチップ２０は測定装置３０と電気的に接続されることになる。また、固定電極４１が、移動電極３９の移動軌跡、すなわち、移動範囲に沿って形成され、任意の移動位置において移動電極３９が固定電極４１に対して接触状態を維持する。そこで、移動電極３９，３９と固定電極４１，４１とが断続的に接触せず、常に安定した接触となって、電気的な接続信頼性が高まる。
【００４３】
従って、本実施形態の針一体型測定装置１０によれば、駆動機構３１のコネクタ３２に設けられ、バイオセンサチップ２０と電気的に導通する移動電極３９と、測定装置本体４０に設けられ、少なくとも穿刺針１３の穿刺後に移動電極３９に接触してバイオセンサチップ２０と測定装置３０とを電気的に導通させる固定電極４１とを備えたので、穿刺針１３及びバイオセンサチップ２０を同時に穿刺駆動して穿刺および試料採取を行った際にも、簡単な構造でバイオセンサチップ２０と測定装置３０との電気的導通を図ることができる。
【００４４】
更に、一般的なビニル被覆電線を用いた接続構造の硬過ぎる電線に起因する駆動抵抗の増大を防止して、スムースな穿刺動作が可能になる。また、駆動抵抗を低減させるために細い電線を用いた場合の電気抵抗の上昇を防止できる。また、電線による接続構造において生じる変形疲労による断線も防止できる。また、電線が駆動機構３１に巻き込まれることによる測定装置３０の故障、測定不良も防止できる。
【００４５】
従って、本実施形態の針一体型測定装置１０は、駆動機構３１によって穿刺針１３とバイオセンサチップ２０を一体に備えたバイオセンサカートリッジ１１を駆動して穿刺および試料の採取を行いながら、採取した試料の情報をバイオセンサチップ２０から測定装置３０に確実に伝達でき、短時間且つ容易な測定を可能にして、使用者の負担を軽減することができる。
【００４６】
次に、本発明の第２実施形態に係る針一体型測定装置を説明する。
図４は本発明の第２実施形態に係る針一体型測定装置の要部概略断面図であり、（ａ）は穿刺中の状態を示し、（ｂ）は穿刺後の状態を示す。なお、上記第１実施形態の針一体型測定装置１０と同一の部材には同一の符号を付し、重複する説明は省略するものとする。
【００４７】
本第２実施形態に係る針一体型測定装置５０は、図３に示すように、固定電極４１Ａ，４１Ａが、少なくとも穿刺針１３の穿刺後に移動電極３９，３９と接触する位置に配設されている。
更に、これら固定電極４１Ａ，４１Ａは、移動電極３９，３９の乗り越えによって受ける押圧力で接触方向に弾性変位可能な弾性接触端子からなっている。即ち、これら固定電極４１Ａ，４１Ａは、測定装置本体４０の内壁に固定される基部５３と、湾曲状の自由端となる片持ち状の先端接触部５５とが一体形成されている。尚、弾性接触端子としては、例えば、ベリリウム銅、ステンレス鋼、リン青銅、又は導電性ゴム等を用いることができる。
【００４８】
本第２実施形態に係る針一体型測定装置５０では、図４（ａ）に示すように、駆動機構３１が測定装置本体４０に対してコネクタ３２を穿刺駆動すると、弾性体１５の周壁部１７及び膨出部１８が潰れ、穿刺針１３が突出されるので、突出した穿刺針１３の先端が被検体Ｍに穿刺される。押し付け力により変形した弾性体１５は、図４（ｂ）に示すように、復元力によって元の形状に戻る。これと同時に、圧縮コイルバネ３７も自然長状態に戻り、バイオセンサカートリッジ１１は若干後退され、穿刺針１３が被検体Ｍから抜かれた最終移動測定位置に達して停止する。
【００４９】
この際、各移動電極３９は、固定電極４１Ａの先端接触部５５に接触した状態となる。即ち、各移動電極３９は、穿刺の開始に伴って固定電極４１Ａに接触し、穿刺針１３が抜かれて測定が開始される最終移動測定位置において固定電極４１Ａと接触状態を維持する。
【００５０】
この時、弾性接触する移動電極３９と固定電極４１Ａとは安定した接触となって、電気的な接続信頼性が高まる。また、移動電極３９が固定電極４１Ａの先端接触部５５を乗り越える際には、固定電極４１Ａが弾性変形して移動電極３９が受ける反力を小さくするので、移動電極３９の乗り越え時における移動抵抗を小さくできる。
【００５１】
本第２実施形態に係る針一体型測定装置５０によれば、移動電極３９と固定電極４１Ａとが必要な穿刺後のみに接触し、移動電極３９と固定電極４１Ａの摺動による摩耗を軽減することができる。また、固定電極４１Ａの形成面積を小さくして、製造コストを低減できる。
【００５２】
なお、本発明の針一体型測定装置に係る穿刺具、バイオセンサチップ、バイオセンサカートリッジ、コネクタ、測定装置本体、駆動機構、移動電極及び固定電極等の構成は、上記した実施形態の構成に限定されるものでなく、本発明の趣旨に基づいて適宜な変形、改良等が可能であることは云うまでもない。
【図面の簡単な説明】
【００５３】
【図１】本発明の第１実施形態に係る針一体型測定装置の構成図である。
【図２】（ａ）はバイオセンサチップの一例を示す断面図である。（ｂ）は図２（ａ）中Ａ方向から見たバイオセンサチップの端面図である。
【図３】（ａ）は第１実施形態に係る針一体型測定装置の穿刺中の状態を示す要部概略断面図、（ｂ）は第１実施形態に係る針一体型測定装置の穿刺後の状態を示す要部概略断面図である。
【図４】（ａ）は本発明の第２実施形態に係る針一体型測定装置の穿刺中の状態を示す要部概略断面図、（ｂ）は第２実施形態に係る針一体型測定装置の穿刺後の状態を示す要部概略断面図である。
【図５】（Ａ）は従来のバイオセンサチップを示す斜視図、（Ｂ）は従来のバイオセンサチップを示す分解斜視図である。
【符号の説明】
【００５４】
１０，５０…針一体型測定装置
１１…バイオセンサカートリッジ
１３…穿刺針
１５…弾性体
２０…バイオセンサチップ
３０…測定装置
３１…駆動機構
３２…コネクタ
３９…移動電極
４０…測定装置本体
４１，４１Ａ…固定電極
【図１】
2009050464.tif 000003
【図２】
2009050464.tif 000004
【図３】
2009050464.tif 000005
【図４】
2009050464.tif 000006
【図５】
2009050464.tif 000007